(57)【要約】【課題】放送受信機とプレゼンスサーバが連動して視聴中の放送番組をＷｅｂ公開し、視聴者の趣味趣向やチャット等に用いる話題を閲覧者に提供する。【解決手段】本発明は、放送受信機は、視聴者のＩＤ、パスワード、及び視聴中の番組選択情報を含むプレゼンス情報を、所定のタイミングまたは該番組選択情報が変更された時点でプレゼンスサーバに通信網を介して送信し、プレゼンスサーバは、放送受信機から取得したプレゼンス情報を用いて、閲覧者側からの要求に基づいて、応答用のプレゼンス情報を作成し、通信網を介して閲覧者のＷｅｂクライアント装置に送信する。【選択図】図１
2007295388.tif 000002
【特許請求の範囲】
【請求項１】
通信網と視聴者の放送受信機とプレゼンスサーバと閲覧者のＷｅｂクライアント装置からなるシステムにおける放送番組視聴情報通知方法であって、
前記放送受信機は、前記視聴者のＩＤ、パスワード、及び視聴中の番組選択情報を含むプレゼンス情報を、所定のタイミングまたは該番組選択情報が変更された時点で前記プレゼンスサーバに前記通信網を介して送信し、
前記プレゼンスサーバは、前記放送受信機から取得した前記プレゼンス情報に基づいて、応答用のプレゼンス情報を作成し、前記通信網を介して閲覧者の前記Ｗｅｂクライアント装置に送信する
ことを特徴とする放送番組視聴情報通知方法。
【請求項２】
前記プレゼンスサーバにおいて、
前記視聴者の視聴履歴や番組表情報を記憶手段に格納しておき、
前記閲覧者の前記Ｗｅｂクライアント装置からプレゼンス情報要求を取得すると、
前記記憶手段を参照して視聴履歴、視聴傾向を含む統計情報を前記応答用のプレゼンス情報として作成し、前記Ｗｅｂクライアント装置に送信する
請求項１記載の放送番組視聴情報通知方法。
【請求項３】
前記プレゼンスサーバにおいて、
前記Ｗｅｂクライアント装置から取得した前記プレゼンス情報要求に基づいて、前記視聴者の興味オントロジデータを格納する興味オントロジ記憶手段を検索し、前記プレゼンス情報を作成する
請求項２記載の放送番組視聴情報通知方法。
【請求項４】
通信網と視聴者の放送受信機とプレゼンスサーバと閲覧者のＷｅｂクライアント装置からなる放送番組視聴情報通知システムであって、
前記放送受信機は、
前記視聴者のＩＤ、パスワード、及び視聴中の番組選択情報を含むプレゼンス情報を、所定のタイミングまたは該番組選択情報が変更された時点で前記プレゼンスサーバに前記通信網を介して送信するプレゼンス情報送信手段を有し、
前記Ｗｅｂクライアント装置は、
前記プレゼンスサーバに対してプレゼンス情報の提供を要求する情報要求手段を有し、
前記プレゼンスサーバは、
前記放送受信機から取得した前記プレゼンス情報に基づいて応答用のプレゼンス情報を作成し、前記通信網を介して閲覧者の前記Ｗｅｂクライアント装置に送信するプレゼンス情報提供手段を有する
ことを特徴とする放送番組視聴情報通知システム。
【請求項５】
前記プレゼンスサーバは、
前記視聴者の視聴履歴や番組表情報を格納する記憶手段と、
前記閲覧者の前記Ｗｅｂクライアント装置からプレゼンス情報要求を取得すると、
前記記憶手段を参照して視聴履歴、視聴傾向を含む統計情報を前記応答用のプレゼンス情報として作成するプレゼンス情報作成手段と、
を有する
請求項４記載の放送番組視聴情報通知システム。
【請求項６】
前記プレゼンスサーバは、
前記視聴者の興味オントロジデータを格納する興味オントロジ記憶手段を更に有し、
前記プレゼンス情報提供手段は、
前記Ｗｅｂクライアント装置から取得した前記プレゼンス情報要求に基づいて、前記興味オントロジ記憶手段を検索し、前記プレゼンス情報を作成する手段を含む、
請求項５記載の放送番組視聴情報通知システム。
【請求項７】
通信網と視聴者の放送受信機とＷｅｂクライアント装置を含むシステムにおけるプレゼンスサーバであって、
前記放送受信機から所定のタイミングまたは、視聴中の番組選択情報が変更された時点で送信された前記視聴者のＩＤ、パスワード、及び、視聴中の番組選択情報を含むプレゼンス情報を、前記通信網を介して受信する手段と、前記Ｗｅｂクライアント装置からプレゼンス情報の提供要求を受信する手段と、該プレゼンス情報を該Ｗｅｂクライアント装置に送信する手段を含む通信手段と、
前記放送受信機から取得した前記プレゼンス情報に基づいて、応答用のプレゼンス情報を作成し、前記通信網を介して閲覧者の前記Ｗｅｂクライアント装置に送信するプレゼンス情報提供手段と、
を有することを特徴とするプレゼンスサーバ。
【請求項８】
前記視聴者の視聴履歴や番組表情報を格納する記憶手段と、
前記閲覧者の前記Ｗｅｂクライアント装置からプレゼンス情報要求を取得すると、
前記記憶手段を参照して視聴履歴、視聴傾向を含む統計情報を前記応答用のプレゼンス情報として作成するプレゼンス情報作成手段と、
を有する請求項７記載のプレゼンスサーバ。
【請求項９】
前記視聴者の興味オントロジデータを格納する興味オントロジ記憶手段を更に有し、
前記プレゼンス情報作成手段は、
前記Ｗｅｂクライアント装置から取得した前記プレゼンス情報要求に基づいて、前記興味オントロジ記憶手段を検索し、前記プレゼンス情報を作成する手段を含む、
請求項８記載のプレゼンスサーバ。
【請求項１０】
コンピュータに、
請求項７乃至９記載のプレゼンスサーバの各手段を実行させることを特徴とする放送番組視聴情報通知プログラム。
【発明の詳細な説明】
【技術分野】
【０００１】
本発明は、放送番組視聴情報通知方法及びシステム及びプレゼンスサーバ及びプログラムに係り、特に、視聴者が視聴中の放送番組に関するデータをＷｅｂ公開し、視聴者の放送番組視聴状況を閲覧者に通知するための放送番組視聴情報通知方法及びシステム及びプレゼンスサーバ及びプログラムに関する。
【背景技術】
【０００２】
以下で用いられる“プレゼンス”とは、「人」や「物」のリアルタイムな状態を示し、例えば、「電話中」、「離席中」、「在庫不足」、「在庫過多」等を示す情報をいう。
【０００３】
従来の第１のプレゼンス情報提供技術として、プレゼンス情報を提供する場合に、プライバシ保護を図り、また、リアルタイムコミュニケーションの確立を可能とするアプリケーションサーバによりプライバシデータベースを実現し、プレゼンス情報の提供先を提供者が細かく設定できる技術がある（例えば、特許文献１参照）。
【０００４】
従来の第２のプレゼンス情報提供技術として、プレゼンスサーバから端末情報を取得し、ロケーション解決サーバから適合するコンテンツのロケーションを検索し、検索結果のロケーションでコンテンツサーバにアクセスしてストリーム映像を受信し、中断点から再生することによりシームレスな映像配信を実現する技術がある（例えば、特許文献２参照）。
【０００５】
従来の第３のプレゼンス情報提供技術として、ユーザの現在位置を表す位置情報をプレゼンス情報としてユーザに提示することができる位置情報に基づく通信サービスシステムがある（例えば、特許文献３参照）。
【特許文献１】特開２００５−３０９５２４号公報
【特許文献２】特開２００４−３３６３１０号公報
【特許文献３】特開２００４−３２８３０９号公報
【発明の開示】
【発明が解決しようとする課題】
【０００６】
しかしながら、上記従来の第１〜第３の技術は、視聴者の視聴中放送番組をＷｅｂ公開する技術に関するものではないため、視聴者の趣味趣向やチャット等に用いる話題を提供し、リアルタイム性や同報性のあるサービスを提供することができない。
【０００７】
本発明は、上記の点に鑑みなされたもので、放送受信機とプレゼンスサーバが連動して視聴中の放送番組をＷｅｂ公開し、視聴者の趣味趣向やチャット等に用いる話題を閲覧者に提供する放送番組視聴情報通知方法及びシステム及びプレゼンスサーバ及びプログラムを提供することを目的とする。
【課題を解決するための手段】
【０００８】
図１は、本発明の原理を説明するための図である。
【０００９】
本発明（請求項１）は、通信網と視聴者の放送受信機とプレゼンスサーバと閲覧者のＷｅｂクライアント装置からなるシステムにおける放送番組視聴情報通知方法であって、
放送受信機は、視聴者のＩＤ、パスワード、及び視聴中の番組選択情報を含むプレゼンス情報を、所定のタイミングまたは該番組選択情報が変更された時点でプレゼンスサーバに通信網を介して送信し（ステップ１）、
プレゼンスサーバは、放送受信機から取得したプレゼンス情報に基づいて、応答用のプレゼンス情報を作成し（ステップ２）、通信網を介して閲覧者のＷｅｂクライアント装置に送信する（ステップ３）。
【００１０】
また、本発明（請求項２）は、プレゼンスサーバにおいて、
視聴者の視聴履歴や番組表情報を記憶手段に格納しておき、
閲覧者のＷｅｂクライアント装置からプレゼンス情報要求を取得すると、
記憶手段を参照して視聴履歴、視聴傾向を含む統計情報を応答用のプレゼンス情報として作成し、Ｗｅｂクライアント装置に送信する。
【００１１】
また、本発明（請求項３）は、プレゼンスサーバにおいて、
Ｗｅｂクライアント装置から取得した前記プレゼンス情報要求に基づいて、視聴者の興味オントロジデータを格納する興味オントロジ記憶手段を検索し、プレゼンス情報を作成する。
【００１２】
図２は、本発明の原理構成図である。
【００１３】
本発明（請求項４）は、通信網１と視聴者の放送受信機２とプレゼンスサーバ３と閲覧者のＷｅｂクライアント装置４からなる放送番組視聴情報通知システムであって、
放送受信機２は、
視聴者のＩＤ、パスワード、及び視聴中の番組選択情報を含むプレゼンス情報を、所定のタイミングまたは該番組選択情報が変更された時点でプレゼンスサーバに通信網を介して送信するプレゼンス情報送信手段２１を有し、
Ｗｅｂクライアント装置４は、
プレゼンスサーバ２に対してプレゼンス情報の提供を要求する情報要求手段を有し、
プレゼンスサーバ３は、
放送受信機２から取得したプレゼンス情報に基づいて応答用のプレゼンス情報を作成し、通信網を介して閲覧者のＷｅｂクライアント装置４に送信するプレゼンス情報提供手段３０１を有する。
【００１４】
また、本発明（請求項５）は、プレゼンスサーバ３において、
視聴者の視聴履歴や番組表情報を格納する記憶手段と、
閲覧者のＷｅｂクライアント装置からプレゼンス情報要求を取得すると、
記憶手段を参照して視聴履歴、視聴傾向を含む統計情報を応答用のプレゼンス情報として作成するプレゼンス情報作成手段と、
を有する。
【００１５】
また、本発明（請求項６）は、プレゼンスサーバ３において、
視聴者の興味オントロジデータを格納する興味オントロジ記憶手段を更に有し、
プレゼンス情報提供手段は、
Ｗｅｂクライアント装置から取得したプレゼンス情報要求に基づいて、興味オントロジ記憶手段を検索し、プレゼンス情報を作成する手段を含む。
【００１６】
本発明（請求項７）は、通信網と視聴者の放送受信機とＷｅｂクライアント装置を含むシステムにおけるプレゼンスサーバであって、
放送受信機から所定のタイミングまたは、視聴中の番組選択情報が変更された時点で送信された視聴者のＩＤ、パスワード、及び該視聴中の番組選択情報を含むプレゼンス情報を、通信網を介して受信する手段と、Ｗｅｂクライアント装置からプレゼンス情報の提供要求を受信する手段と、該プレゼンス情報を該Ｗｅｂクライアント装置に送信する手段を含む通信手段と、
放送受信機から取得したプレゼンス情報に基づいて、応答用のプレゼンス情報を作成し、通信網を介して閲覧者のＷｅｂクライアント装置に送信するプレゼンス情報提供手段と、
を有する。
【００１７】
また、本発明（請求項８）は、視聴者の視聴履歴や番組表情報を格納する記憶手段と、
閲覧者のＷｅｂクライアント装置からプレゼンス情報要求を取得すると、
記憶手段を参照して視聴履歴、視聴傾向を含む統計情報を応答用のプレゼンス情報として作成するプレゼンス情報作成手段と、を有する。
【００１８】
また、本発明（請求項９）は、視聴者の興味オントロジデータを格納する興味オントロジ記憶手段を更に有し、
プレゼンス情報作成手段は、
Ｗｅｂクライアント装置から取得したプレゼンス情報要求に基づいて、興味オントロジ記憶手段を検索し、プレゼンス情報を作成する手段を含む。
【００１９】
本発明（請求項１０）は、コンピュータに、
請求項７乃至９記載のプレゼンスサーバの各手段を実行させる放送番組視聴情報通知プログラムである。
【発明の効果】
【００２０】
上記のように本発明によれば、視聴者から取得したプレゼンス情報に基づいて、当該視聴者の視聴履歴や視聴傾向を含む応答用のプレゼンス情報を編集して利用者（閲覧者（視聴者が利用者となることもある）に対して、ＣＵＧ(Closed User Group)仲間とのチャット等に話題を提供することができる。
【００２１】
また、視聴者の視聴履歴を記憶しておくことにより、視聴者が見ている放送番組の傾向によって趣味趣向を把握したプレゼンス情報を提供することができ、より親密な交流を図ることができる。
【００２２】
また、視聴者の放送番組の変更履歴によって遠隔からでも生存確認ができる。
【００２３】
また、視聴開始や視聴している番組が変更された時点でプレゼンス情報を提供することにより、リアルタイム性や同報性に優れた視聴率調査システムが実現できる。
【００２４】
さらに、システムベンダに対しては、有料でＣＵＧ仲間システムサービスを提供できると共に、視聴率調査のためのリアルタイム視聴データを有料サービスとして提供できる。
【００２５】
また、通信ベンダに対しては通信トラヒック増により収入の増加が図れる。
【発明を実施するための最良の形態】
【００２６】
以下、図面と共に本発明の実施の形態を説明する。
【００２７】
本発明は、通信網と視聴者の放送受信機端末とプレゼンスサーバとＷｅｂクライアントと閲覧者からなるシステムにおいて、放送受信機端末は、プレゼンス情報を通信網経由でプレゼンスサーバに送信し、閲覧者はプレゼンスサーバで編集されたプレゼンス情報を取得する。当該プレゼンス情報には放送受信機端末を視聴している視聴者のＩＤとパスワードと視聴中の放送番組情報とが含まれている視聴中放送番組通知サービスの提供システムである。
【００２８】
［第１の実施の形態］
（１）システム構成：
図３は、本発明の第１の実施の形態におけるシステム構成を示す。
【００２９】
同図に示すシステムには、通信網１を経由して視聴者１１の放送受信機端末２とプレゼンスサーバ３とＷｅｂクライアント装置４が接続されている。なお、同図では、説明の簡単化のために１つの放送受信機端末２、Ｗｅｂクライアント装置４が通信網１に接続されているが、実際にはそれぞれｎ台が接続されている。
【００３０】
通信網１は、公衆通信網であって、有線も無線のいずれであってもよい。放送受信機端末２は、テレビ受信機やラジオ受信機、あるいは、有線・無線経由の放送を受信する。
【００３１】
放送受信機端末２は、視聴者１１から設定されているユーザ名（ＩＤ）とパスワード、選択した番組のチャンネルを、通信網１を介してプレゼンスサーバ３に送信すると共に、当該選択された番組を出力する。また、プレゼンス情報をプレゼンスサーバ３に送信する際に、視聴中一定時間ｔを経過する毎にチャンネル番号のデータをプレゼンスサーバ３に送信する。これは、放送受信機端末２が何らかの理由によりダウンしてしまった場合、プレゼンスサーバ３側で視聴終了の検出ができないため、定期的に送出される信号が一定時間受信できないか、終了信号を受信したら視聴を終了したと判断するためである。また、視聴者１１が視聴しているチャンネルを変更した場合にも、チャンネル番号のデータをプレゼンスサーバ３に送信する。
【００３２】
プレゼンスサーバ３は、Ｗｅｂクライアント装置４から視聴履歴や視聴傾向の要求を取得すると、何時何分のどんな番組をどのくらいの時間視聴したかという視聴履歴や番組表記載のジャンルや出演タレントから統計的に作成した視聴傾向、そして更にこれらの情報を基に作成したジャンル別視聴時間や出演タレントランキングなどを当該Ｗｅｂクライアント装置４に提供する。これにより、閲覧者１２は、プレゼンスサーバ３から視聴者１１のＩＤとパスワードと視聴中の放送番組情報を含むプレゼンス情報を得る。
【００３３】
チャネルデータを含むプレゼンス情報としては、近年テレビ放送番組において各画面に添付される画面特定のための世界標準化されたメタデータを利用する場合もある。
【００３４】
Ｗｅｂクライアント装置４は、閲覧者１２がプレゼンス情報を取得可能なパーソナルコンピュータであり、プレゼンスサーバ３に対して視聴履歴や視聴傾向等のプレゼンス情報を要求する。
【００３５】
なお、チャット仲間などＣＵＧを構成している仲間同士で情報通信を楽しむ場合には、視聴者が同時に閲覧者になる。
【００３６】
（２）システムの動作
次に、上記のシステムにおける一連の動作を説明する。
【００３７】
図４は、本発明の第１の実施の形態におけるシステムのシーケンスチャートである。
【００３８】
ステップ１０１）  視聴者１１は、放送受信機端末２で視聴を開始する。
【００３９】
ステップ１０２）  放送受信機端末２は、視聴者１１が入力したユーザ名（ＩＤ）と視聴者が選択したチャンネル番号データをプレゼンスサーバ３に送信する。
【００４０】
ステップ１０３）  プレゼンスサーバ３は、放送受信機端末２から取得したＩＤ、パスワード、チャンネル番号データからなる情報を用いて視聴者データベース３１の内容を更新し保持する。
【００４１】
ステップ１０４）  プレゼンスサーバ３は、視聴者１１がステップ１０２で送信したチャンネル番号と受信時刻に対応する番組タイトルを後述する番組表データベース３２から取得し、メタデータなどによりジャンルを決定し、後述する視聴者データベース３１に保持する。
【００４２】
ステップ１０５）  プレゼンスサーバ３は、視聴者１１の視聴データを作成して視聴者データベース３１の視聴履歴を更新して保持し、また、視聴傾向を更新して視聴者データベース３１に保持する。
【００４３】
ステップ１０６）  閲覧者１２がＷｅｂクライアント装置４からプレゼンスサーバ３に対して視聴者１１のプレゼンス情報を要求する。
【００４４】
ステップ１０７）  プレゼンスサーバ３は、ステップ１０６の閲覧者１２からの要求に対して、応答用のプレゼンス情報を編集する。
【００４５】
ステップ１０８）  プレゼンスサーバ３は、Ｗｅｂクライアント装置４に編集したプレゼンス情報を送信する。
【００４６】
ステップ１０９）  Ｗｅｂクライアント装置４は、プレゼンスサーバ３から送信されたプレゼンス情報を受信する。
【００４７】
ステップ１１０）  放送受信機端末２が、ステップ１０２におけるプレゼンス情報の送信から時間tが経過したかを判定し、時間ｔ経過した場合はステップ１１１へ移行し、経過していなければ当該ステップ１１０を繰り返す。
【００４８】
ステップ１１１）  視聴者１１の放送受信機端末２は、視聴者１１から入力されたＩＤデータとチャンネル番号データをプレゼンスサーバ３に送信する。
【００４９】
ステップ１１２）  プレゼンスサーバ３は、放送受信機端末２からＩＤデータとチャンネル番号データを受信して後述する視聴者データベース３１の内容を更新する。
【００５０】
ステップ１１３）  視聴者１１がチャンネルを変更する。
【００５１】
ステップ１１４）  放送受信機端末２は、視聴者１１によりチャンネルが変更されたので、当該チャンネル番号データとＩＤデータとをプレゼンスサーバ３に送信する。
【００５２】
ステップ１１５）  プレゼンスサーバ３は、ＩＤデータとチャンネル番号データを放送受信機端末２から受信して、視聴者データベース３１の内容を更新する。
【００５３】
ステップ１１６）  視聴者１１が視聴を終了する。
【００５４】
ステップ１１７）  放送受信機端末２が視聴者１１のＩＤデータと視聴終了信号をプレゼンスサーバ３に送信する。
【００５５】
ステップ１１８）  プレゼンスサーバ３が、放送受信機端末２から視聴終了信号を受信し、視聴者１１のモニタリングを終了する。
【００５６】
ステップ１１９）  プレゼンスサーバ３は、時間ｔが経過した後も、チャンネル番号の受信がないかを判定し、受信があれば当該ステップを継続する。受信がなければステップ１２０に移行する。
【００５７】
ステップ１２０）  プレゼンスサーバ３は、視聴者１１のモニタリングを強制的に終了し、強制切断信号を放送受信機端末２に送信する。
【００５８】
ステップ１２１）  放送受信機端末２は、強制切断信号を受信する。
【００５９】
なお、上記の動作には含まれていないが、閲覧者からプレゼンス情報の要求があった時点または、所定の周期で図５に示す課金部３５において閲覧履歴管理部３８に問い合わせ、当該閲覧者に関する課金処理を行う。これにより、システムベンダに対しては、有料でＣＵＧ仲間システムサービスを提供することができる。
【００６０】
（３）プレゼンスサーバ３の構成：
次に、プレゼンスサーバの機能について説明する。
【００６１】
図５は、本発明の第１の実施の形態におけるプレゼンスサーバの構成を示す。
【００６２】
プレゼンスサーバ３は、視聴者データベース３１、番組表データベース３２，通信部３３、プレゼンス情報作成部３４、課金部３５、認証部３６、セッション制御部３７、閲覧履歴管理部３８から構成される。
【００６３】
視聴者データベース３１は、視聴者のＩＤと受信時刻Ｔ０とチャンネル番号ｘを有し、認証部３６により認証された視聴者の情報で受信時刻とチャネル番号を更新する。また、視聴者データベース３１は、視聴者毎の視聴履歴を保持すると共に、個別の視聴者毎の興味オントロジを更新し保持することも可能である。その詳細については、第４の実施の形態において詳述する。
【００６４】
番組表データベース３２は、通信網１を介してＷｅｂ上で公開されている番組表情報データを取り込み、更新し保持する。また、例えば、紙上等に印刷された番組表情報データや大容量記憶媒体に記録されている番組表情報データを番組ＤＢＷＳ（データベースワークステーション）３９から取り込み、更新し保持するようにしてもよい。
【００６５】
通信部３３は、通信網１を介して放送受信機端末２から視聴者１１のＩＤとパスワード及びチャンネル番号ｘを受信し、プレゼンス情報作成部３４、認証部３６に渡す。また、通信網１を介して編集されたプレゼンス情報をＷｅｂクライアント装置４に送信する。
【００６６】
プレゼンス情報作成部３４は、認証部３６により視聴者１１が認証されると、視聴者１１のＩＤに基づいて視聴者データベース３１を参照し、視聴者データを取得する。当該視聴者データに基づいて閲覧者１２により指定されたチャネル番号Ｘと時間に対応する視聴者のリストや、特定の視聴者が何時何分のどのような番組をどのくらいの時間視聴したかという視聴履歴を編集して閲覧者１２に提供する。また、更に、番組表データベース３２からのデータを利用して番組表記載のジャンルや出演タレントリストから統計的に作成した視聴傾向、そして、更にこれらの情報を基に作成したジャンル別視聴時間や出演タレントランキングなどを編集して閲覧者１２のＷｅｂクライアント装置４に提供する。また、プレゼンス情報作成部３４は、視聴者データベース３１のデータを参照し、閲覧者１２のＷｅｂクライアント装置４に特定番組を視聴している視聴者の興味に合ったクラス名やインディビジュアルを提供する。これにより、当該閲覧者１２は放送番組にリアルタイムに最適な広告を提供することが可能となる。
【００６７】
課金部３５は、有料サービスである情報提供毎に課金し、閲覧履歴管理部３８に通知する。または、閲覧者に対してプレゼンス情報の提供を行う毎に閲覧履歴管理部３８に閲覧の履歴を記憶手段（図示せず）に蓄積しておき、所定の周期毎（例えば、月毎）に閲覧履歴管理部３８の記憶手段を参照し、閲覧のサマリを計算し、課金するようにしてもよい。
【００６８】
認証部３６は、取得した視聴者のＩＤに基づいて視聴者データベース３１を参照することにより認証し、視聴者ＤＢ３１の情報を更新する。また、通信網１を介して閲覧者１２のＷｅｂクライアント装置４からの情報要求を受信すると、認証処理を行う。なお、当該認証処理については既存の方法を用いるものとし、特にその方法を限定しない。
【００６９】
セッション制御部３７は、認証部３６による閲覧者１２の認証の後、プレゼンスサーバ３をモニタリング状態にする。
【００７０】
閲覧履歴管理部３８は、閲覧者１２の情報及び閲覧状況をデータベース（図示せず）等に記録して不正アクセスの排除や料金請求等を行う。
【００７１】
（４）プレゼンスサーバ３の動作：
次に、上記の構成を有するプレゼンスサーバ３の動作について説明する。
【００７２】
以下では、視聴者１１が放送受信機端末２において番組の視聴を開始し、プレゼンスサーバ３が放送受信機端末２から視聴者１１のＩＤデータ及びチャンネル番号データを受信したものとして説明する。
【００７３】
図６は、本発明の第１の実施の形態におけるプレゼンスサーバの動作シーケンスを示す。
【００７４】
ステップ２０１）  プレゼンスサーバ３の通信部３３が、放送受信機端末２からＩＤデータとチャンネル番号データ＃とパスワードを受信する。
【００７５】
ステップ２０２）  認証部３１は、ステップ２０１で取得したＩＤデータに基づいて、放送受信機端末２の視聴者１１の認証処理を行い、認証できればステップ２０３に移行し、認証できなければステップ２０１に移行する。
【００７６】
ステップ２０３）  受信データ（ＩＤとチャンネル番号データ＃と受信時刻Ｔ０）により視聴者データベース３１の内容を更新し、保持する。
【００７７】
ステップ２０４）  プレゼンス情報作成部３４は、番組表データベース３２よりチャンネル番号＃に対応する番組タイトル／ジャンル等の情報を取得し、視聴者データベース３１に記録する。
【００７８】
ステップ２０５）  プレゼンス情報作成部３４は、視聴者１１のＩＤに基づいて視聴者データベース３１を参照し、視聴履歴や視聴傾向等のプレゼンス情報を作成し、当該視聴者データベース３１に更新・記録する。
【００７９】
ステップ２０６）  ここで、閲覧者１２がＷｅｂクライアント装置４から通信網１を介してプレゼンスサーバ３にプレゼンスを要求すると、通信部３３が、閲覧者ＩＤとパスワードと要求データを受信する。
【００８０】
ステップ２０７）  認証部３１は、ステップ２０６のＩＤに基づいて、閲覧履歴管理部３８に問い合わせ、閲覧者の認証処理を行い、認証できればステップ２０８に移行し、認証できなければステップ２０６に移行する。
【００８１】
ステップ２０８）  プレゼンス情報作成部３４は、番組表データベース３２及び視聴者データベース３１の内容を参照して応答用プレゼンス情報を編集作成する。応答用プレゼンス情報の編集方法としては、視聴者毎の視聴履歴や視聴傾向、番組毎の視聴平均時間、視聴率の高い番組ランキング等種々の情報を作成することが可能である。この際、閲覧者のＷｅｂクライアント装置４に対して、どのようなプレゼンス情報が必要であるかをリスト形式で表示し、選択させるようにしてもよい。
【００８２】
ステップ２０９）  通信部３３は、ステップ２０８で編集されたプレゼンス情報を閲覧者１２のＷｅｂクライアント装置４に送信する。
【００８３】
ステップ２１０）  番組表データベース３２において、所定の周期、または、任意のタイミングで通信網１から通信部３３を介してＷｅｂ上の最新番組表データを取り込み、格納する。
【００８４】
ステップ２１１）  番組表ＤＢＷＳ３９において、紙等の印刷物あるいは電子記録媒体上の番組表データを取り込み、番組表データベース３２の内容を更新する。
【００８５】
（５）放送受信機端末２の構成：
次に、放送受信機端末２の構成について説明する。
【００８６】
図７は、本発明の第１の実施の形態における放送受信機端末の構成を示す。
【００８７】
放送受信端末２は、例えば、パーソナルコンピュータである端末部２０、放送を受信して視聴可能とする放送受信部２１、通信部２２から構成される。
【００８８】
端末部２０は、設定されたユーザ名とパスワードを保持し、現在視聴中の時間データとチャネルデータを含む放送番組情報を定時に、あるいはチャンネル変更を契機に通信網１を介してプレゼンスサーバ３に送信する。
【００８９】
［第２の実施の形態］
本実施の形態では、放送受信機端末２としてテレビ受像機を用いる例を説明する。
【００９０】
図８は、本発明の第２の実施の形態におけるシステム構成を示す。同図において、図３の構成と同一構成部分には同一符号を付し、その説明を省略する。
【００９１】
図８に示すシステムにおいて、図３と異なるのは放送受信機端末２として、テレビ受像機５が設けられている点である。当該テレビ受像機５は、デスク等に置かれる大型表示のテレビ端末や、携帯型の小型表示のテレビ端末等であり、これらは、図９に示すように、例えば、パーソナルコンピュータである端末部５０、テレビ放送を受信して視聴可能とするテレビ放送受像部５１、通信部５２を含んでおり、同様に、端末部５０は視聴者により設定されたユーザ名とパスワードを保持し、現在視聴中の時間データとチャネルデータを含む放送番組情報を定時に、あるいはチャンネル変更を契機に通信網１を介してプレゼンスサーバ３に送信する。
【００９２】
その他の構成・機能については、前述の第１の実施の形態と同様である。
【００９３】
［第３の実施の形態］
本実施の形態では、放送受信機２としてラジオ受信機を用いた例を説明する。
【００９４】
図１０は、本発明の第２の実施の形態におけるシステム構成を示す。同図において、図３の構成と同一構成部分には同一符号を付し、その説明を省略する。
【００９５】
図１０に示すシステムにおいて、図３と異なるのは放送受信機端末２として、ラジオ受信機６が設けられている点である。
【００９６】
ラジオ受信機６には、図１１に示すように、携帯電話機能を有する端末部６０と、ラジオ放送を受信して視聴可能とするラジオ受信部６１と、通信部６２を有する。端末部６０は、視聴者１１により設定されたユーザ名とパスワードを保持し、現在視聴中の時間データとチャンネルデータを含む放送番組情報を定時に、あるいはチャンネル変更を契機に、通信網１を介してプレゼンスサーバ３に送信する。
【００９７】
その他の構成・機能については、前述の第１の実施の形態と同様である。
【００９８】
［第４の実施の形態］
本実施の形態では、視聴者データベース３１に格納される興味オントロジについて説明する。
【００９９】
図１２は、本発明の第４の実施の形態におけるシステム構成図である。
【０１００】
同図に示すシステムは、図５に示す視聴者データベース３１内に興味オントロジデータベース３１１を構築する例を示す。
【０１０１】
図１２において、通信部３３が外部のＷｅｂから興味オントロジデータを取得する、または、データベースワークステーション３９からオフラインで興味オントロジデータを取得すると、視聴者データベース３１内の興味オントロジデータベース３１１に当該興味オントロジデータを書き込む。または、外部から雛形のソフトウェア５０１をオフラインで取得し、雛形のソフトウェア５０１が、通信部３３を介して視聴者１１から受信したプレゼンス情報を用いて、興味オントロジデータベース３１１をリアルタイムに更新し、保持する。
【０１０２】
これにより、プレゼンスサーバ３のプレゼンス情報作成部３４は、閲覧者のプレゼンス要求に基づいて、視聴者データベース３１内の興味オントロジデータベース３１１を検索して、視聴者の興味情報を編集し、閲覧者１２に提供する。これにより視聴者１１と閲覧者１２間のチャットが盛り上がる等の効果が期待できる。
【０１０３】
また、上記の各実施の形態におけるプレゼンスサーバ３の動作をプログラムとして構築し、プレゼンスサーバとして利用されるコンピュータにインストールして実行させる、または、ネットワークを介して流通させることが可能である。
【０１０４】
また、構築されたプログラムをハードディスクや、フレキシブルディスク・ＣＤ−ＲＯＭ等の可搬記憶媒体に格納し、コンピュータにインストールして実行させる、または、配布することが可能である。
【０１０５】
なお、本発明は、上記の実施の形態に限定されることなく、特許請求の範囲内において種々変更・応用が可能である。
【産業上の利用可能性】
【０１０６】
放送業界は革新の真最中であって、今後はデジタル化されたテレビ映像を、固定された放送受信機端末だけではなく、携帯電話端末上でも見る時代となり、インターネット利用などによる放送ベンダと視聴者のリアルタイムな双方向性が高まり、放送メディアを仲介した視聴者同士の情報交換の機会も増えてくる。
【０１０７】
更に、ユビキタス化の推進により個人の状況をいつでも把握していて、リアルタイムで個人の嗜好や好みに応じてアクションをとることが、個人レベルでも企業においても重要になってくる。本発明は、このような社会の推移に沿って多いに利用される可能性がある。
【図面の簡単な説明】
【０１０８】
【図１】本発明の原理を説明するための図である。
【図２】本発明の原理構成図である。
【図３】本発明の第１の実施の形態におけるシステム構成図である。
【図４】本発明の第１の実施の形態におけるシステムのシーケンスを示す図である。
【図５】本発明の第１の実施の形態におけるプレゼンスサーバの構成図である。
【図６】本発明の第１の実施の形態におけるプレゼンスサーバの動作シーケンスを示す図である。
【図７】本発明の第１の実施の形態における放送受信機の構成図である。
【図８】本発明の第２の実施の形態におけるシステム構成図である。
【図９】本発明の第２の実施の形態におけるテレビ受像機の構成図である。
【図１０】本発明の第３の実施の形態におけるシステム構成図である。
【図１１】本発明の第３の実施の形態におけるラジオ受信機の構成図である。
【図１２】本発明の第４の実施の形態におけるシステム構成図である。
【符号の説明】
【０１０９】
１  通信網
２  放送受信機
３  プレゼンスサーバ
４  Ｗｅｂクライアント装置
５  テレビ受像機
６  ラジオ受信機
１１  視聴者
１２  閲覧者
２０  端末部
２１  放送受信部
２２  プレゼンス情報送信手段、通信部
３１  視聴者データベース
３２  番組表データベース
３３  通信部
３４  プレゼンス情報作成部
３５  課金部
３６  認証部
３７  セッション制御部
３８  閲覧履歴管理部
３９  番組ＤＢＷＳ（データベースワークステーション）
５０  端末部
５１  テレビ受像部
５２  通信部
６０  端末部
６１  ラジオ受信部
６２  通信部
３０１  プレゼンス情報提供手段
３１１  興味オントロジデータベース
５０１  ソフトウェア
【図１】
2007295388.tif 000003
【図２】
2007295388.tif 000004
【図３】
2007295388.tif 000005
【図４】
2007295388.tif 000006
【図５】
2007295388.tif 000007
【図６】
2007295388.tif 000008
【図７】
2007295388.tif 000009
【図８】
2007295388.tif 000010
【図９】
2007295388.tif 000011
【図１０】
2007295388.tif 000012
【図１１】
2007295388.tif 000013
【図１２】
2007295388.tif 000014